(57)【要約】【課題】皿ユニットのロック状態がより強固にでき、ロック解除操作性の良好な遊技機を得る。【解決手段】本体部３に開閉可能に軸支された皿ユニット５をロック状態で保持する第１の位置とこれを開放可能にする第２の位置とに動作する第１のロック装置と、第１のロック装置とは異なる位置に設置され、皿ユニット５をロック状態で保持する第１の位置とこれを開放可能にする第２の位置とに動作する第２のロック装置と、第２のロック装置を第１のロック装置に連動して動作させるリンクとを備える。第１のロック装置は、本体部３に設置された第１のロック爪２３ａと皿ユニット５に設置されて第１のロック爪２３ａが係合する第１の係合部１１ａで、第２のロック装置は、皿ユニット５に設置された第２のロック爪１６と本体部３に設置されて第２のロック爪１６が係合する第２の係合部２５で構成する。【選択図】        図１０
2005205158.tif 000002
【特許請求の範囲】
【請求項１】
本体部と、
前記本体部に開閉可能に軸支された開閉部材と、
前記開閉部材を前記本体部に対してロック状態で保持する第１の位置と前記開閉部材を前記本体部に対して開放可能にする第２の位置とに動作する第１のロック装置と、
前記第１のロック装置とは異なる位置に設置され、前記開閉部材を前記本体部に対してロック状態で保持する第１の位置と前記開閉部材を前記本体部に対して開放可能にする第２の位置とに動作する第２のロック装置と、
前記第１のロック装置の動力を前記第２のロック装置に伝達して当該第２のロック装置を前記第１のロック装置に連動して動作させる動力伝達部材と、
を備えたことを特徴とする遊技機。
【請求項２】
前記第１のロック装置は、
前記本体部または前記開閉部材の何れか一方に設置されて前記第１の位置と前記第２の位置とに可動する第１のロック爪、および前記開閉部材または前記本体部の他方に設置されて前記第１のロック爪が係合する第１の係合部を有し、
前記第２のロック装置は、
前記本体部または前記開閉部材の何れか一方に設置されて前記第１の位置と前記第２の位置とに可動する第２のロック爪、および前記開閉部材または前記本体部の他方に設置されて前記第２のロック爪が係合する第２の係合部を有する、
ことを特徴とする請求項１記載の遊技機。
【請求項３】
前記動力伝達部材は、前記第１のロック爪に当接する第１の当接部、および前記第２のロック爪に当接する第２の当接部を有するリンクであることを特徴とする請求項２記載の遊技機。
【請求項４】
前記動力伝達部材は、前記第１のロック爪に当接する第１の当接部を有するとともに前記第２のロック爪が一体に設けられたリンクであることを特徴とする請求項２記載の遊技機。
【発明の詳細な説明】
【技術分野】
【０００１】
本発明は、遊技機における本体部と皿ユニットなど開閉部材とのロック構造に関するものである。
【背景技術】
【０００２】
パチンコ機などの遊技機では、遊技盤が装着された本体枠がヒンジを介してベース枠に取り付けられて本体部を構成している。そして、このような本体部に対して、遊技盤を視認可能に被うガラス扉、およびガラス扉の下側に位置して遊技球が貯留される上皿ならびに下皿が設けられた皿ユニットが取り付けられている。開閉部材であるこれらガラス扉および皿ユニットは、その一端が本体部に回動可能に軸支されており、他端がロック装置により本体部に係合するようになっている。
【０００３】
ロック装置では、ロック爪が本体部に、ロック爪が係合する係合部がガラス扉および皿ユニットに、それぞれ設けられており、操作片を操作してロック爪を付勢力に抗してロック解除位置に移動させることによりロック爪と係合部との係合が解かれ、ガラス扉や皿ユニットが回動する。
【０００４】
なお、このようなロック装置は、たとえば特開２００１−３８０２６号公報に記載されている。
【特許文献１】特開２００１−３８０２６号公報
【発明の開示】
【発明が解決しようとする課題】
【０００５】
このような従来の技術では、ガラス扉や皿ユニットなどの開閉部材の他端のみで本体部に係合しているため、たとえばロック装置の設けられた他端側からの引っ張り荷重には有効であるが、上端側や下端側からの引っ張り荷重のような変則的な荷重に対しては強固とはいえず、各部を破損してしまう可能性がある。
【０００６】
このような問題を解決するには、ロック装置を複数設置すればよい。しかしながら、これではガラス扉や皿ユニットを開ける度に各ロック装置のロックを解除する必要があり、極めて不便である。
【０００７】
そこで、本発明は、開閉部材のロック状態がより強固にできるとともにロック解除操作性の良好な遊技機を提供することを目的とする。
【課題を解決するための手段】
【０００８】
上記課題を解決するため、本発明に係る遊技機は、本体部と、前記本体部に開閉可能に軸支された開閉部材と、前記開閉部材を前記本体部に対してロック状態で保持する第１の位置と前記開閉部材を前記本体部に対して開放可能にする第２の位置とに動作する第１のロック装置と、前記第１のロック装置とは異なる位置に設置され、前記開閉部材を前記本体部に対してロック状態で保持する第１の位置と前記開閉部材を前記本体部に対して開放可能にする第２の位置とに動作する第２のロック装置と、前記第１のロック装置の動力を前記第２のロック装置に伝達して当該第２のロック装置を前記第１のロック装置に連動して動作させる動力伝達部材とを備えたことを特徴とする。
【０００９】
これにより、開閉部材が複数箇所でロックされるので、変則的な荷重に対して強固となるとともに、一回の操作で開閉部材のロックを解除して開けることが可能になるので、ロック解除操作性が良好になる。
【００１０】
本発明の好ましい形態において、前記第１のロック装置は、前記本体部または前記開閉部材の何れか一方に設置されて前記第１の位置と前記第２の位置とに可動する第１のロック爪、および前記開閉部材または前記本体部の他方に設置されて前記第１のロック爪が係合する第１の係合部を有し、前記第２のロック装置は、前記本体部または前記開閉部材の何れか一方に設置されて前記第１の位置と前記第２の位置とに可動する第２のロック爪、および前記開閉部材または前記本体部の他方に設置されて前記第２のロック爪が係合する第２の係合部を有することを特徴とする。
【００１１】
これにより、第１のロック装置と第２のロック装置とを動力伝達部材で連動させロック解除する構成を簡便な形で実現することができる。
【００１２】
本発明のさらに好ましい形態において、前記動力伝達部材は、前記第１のロック爪に当接する第１の当接部、および前記第２のロック爪に当接する第２の当接部を有するリンクであることを特徴とする。
【００１３】
これにより、動力伝達部材を、可動するロック爪と独立させることができるので、リンクを変更するだけで、同一のロック装置を用いて他機種の遊技機に対応させることができる。
【００１４】
本発明のさらに好ましい形態において、前記動力伝達部材は、前記第１のロック爪に当接する第１の当接部を有するとともに前記第２のロック爪が一体に設けられたリンクであることを特徴とする。
【００１５】
これにより、動力伝達部材を、第１のロック爪と第２のロック爪とが相互に同期して動作しやすくなるので、ロックおよびその解除がスムーズに行える。
【発明の効果】
【００１６】
本発明によれば、以下の効果を奏することができる。
【００１７】
すなわち、開閉部材が相互に設置位置の異なる第１のロック装置と第２のロック装置により複数箇所でロックされるので、変則的な荷重に対して強固となり、各部位の破損を防止することができる。
【００１８】
また、第１のロック装置と第２のロック装置とが動力伝達部材により連動して動作するようになっているので、一回の操作で開閉部材のロックを解除して開けることが可能になり、ロック解除操作性が良好になる。
【００１９】
さらに、第１のロック装置と第２のロック装置とは離れた位置でも設置することができるので、設計変更も容易である。
【発明を実施するための最良の形態】
【００２０】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２１】
図１は本発明の一実施の形態であるパチンコ遊技機を示す斜視図、図２は図１のパチンコ遊技機に装着された皿ユニットを裏面から示す斜視図、図３は図２の皿ユニットの要部を示す正面図、図４は図２の皿ユニットに取り付けられたリンクを構成するスライダを示す斜視図、図５は図２の皿ユニットに取り付けられたリンクを構成するリンク本体を示す正面図、図６は図２の皿ユニットに取り付けられた第２のロック爪を背後から示す斜視図、図７は図１のパチンコ遊技機に設置された第１のロック爪を含む施錠ユニットを示す斜視図、図８は図１のパチンコ遊技機における第１のロック爪と第２の係合部とを示す斜視図、図９は図１のパチンコ遊技機において第１のロック装置と第２のロック装置とが皿ユニットを本体部にロック状態で保持する第１の位置を示す説明図、図１０は図１のパチンコ遊技機において第１のロック装置と第２のロック装置とが皿ユニットを本体部に対して開放可能になる第２の位置を示す説明図、図１１は本発明の変形例としてのパチンコ遊技機に装着された皿ユニットを裏面から示す斜視図、図１２は図１１の皿ユニットの要部を示す正面図、図１３は本発明の変形例としてのパチンコ遊技機において第１のロック装置と第２のロック装置とが皿ユニットを本体部にロック状態で保持する第１の位置を示す説明図、図１４は本発明の変形例としてのパチンコ遊技機において第１のロック装置と第２のロック装置とが皿ユニットを本体部に対して開放可能になる第２の位置を示す説明図である。
【００２２】
図１に示すように、パチンコ遊技機（遊技機）１は、遊技盤２が装着された本体枠３ａがヒンジを介してベース枠３ｂに回動可能に取り付けられ、これら本体枠３ａおよびベース枠３ｂで本体部３が構成されている。そして、このような本体部３に対して、遊技盤２を視認可能に被うガラス扉（開閉部材）４、およびガラス扉４の下側に位置する皿ユニット（開閉部材）５が取り付けられている。開閉部材であるこれらガラス扉４および皿ユニット５は、その一端が本体部３に回動可能に軸支されており、他端が後述するロック装置により本体部３に係合するようになっている。
【００２３】
遊技盤２は、遊技盤ベース２ａと、遊技盤ベース２ａ上のガラス扉４に包囲された領域に配置された多数の遊技くぎや風車などの障害物や入賞装置等からなる遊技部材２ｂで構成されており、発射された遊技球が打ち込まれて流下する遊技領域がある。
【００２４】
なお、遊技盤２の背後には、例えば液晶ディスプレイ、ＣＲＴ（陰極線管）あるいはプラズマディスプレイ等からなり、画像信号入力に基づいて任意の画像を表示する図柄表示部（図示せず）が、遊技盤ベース２ａに開口された孔などの透過領域、あるいは透明素材で形成された遊技盤ベース２ａそのものを介して視認可能に配置されている。
【００２５】
遊技盤２の下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２の遊技領域へ遊技球を打ち込む際に回動操作されるハンドル７が設けられている。
【００２６】
また、ガラス扉４の上部の左右には、スピーカ８ａ，８ｂがそれぞれ配置されている。
【００２７】
図２に示すように、皿ユニット５の裏面には、払い出された遊技球が上皿５ａに流入する際に通過する払い出し孔２０が形成されている。そして、上皿５ａからオーバーフローして下皿５ｂへ流下する遊技球が通過する第１の球通路９ａが、払い出し孔２０を介して上皿５ａと下皿５ｂとを連通するように形成されている。また、皿ユニット５の裏面には、第１の球通路９ａとは異なる第２の球通路９ｂが上皿５ａと下皿５ｂとを連通するように形成されている。第２の球通路９ｂには、通路を開閉するシャッタ（図示せず）が設けられている。このシャッタは通常は閉位置に付勢されており、遊技終了などにより上皿５ａに貯留された遊技球を下皿５ｂに移動させて取り出す場合に、シャッタレバー１０を操作してこれを開位置にする。なお、第１の球通路９ａと第２の球通路９ｂとは遊技球の流下方向下流側において合流しており、下皿５ｂには同じ位置から流入する。
【００２８】
このような球通路９ａ，９ｂを有する皿ユニット５は、図２において、向かって右側端が回動支点となっており、左側端で本体部３に係合する。そして、その左側端には、図３に詳しく示すように、第１のロック装置を構成する第１の係合部１１ａが設けられている。また、切り欠かれた左下端には、第２のロック装置を構成する第２のロック爪１６が設けられている。
【００２９】
皿ユニット５の裏面には、左上を屈曲点とした略Ｌ字型で金属製のフレームユニット１１が、屈曲点を皿ユニット５の左上隅部に合わせるようにして取り付けられており、前述した第１の係合部１１ａは、このフレームユニット１１の一部を構成するようにして、手前に突出して側方に折れ曲がった形状に形成されている。
【００３０】
フレームユニット１１における第１の係合部１１ａの直下にはプレート部１１ｂが上下方向に立設されている。このプレート部１１ｂには、スライダ１２が、上下方向に長い長円のネジ孔１２ａにより上下方向に移動可能、且つ引っ張りバネ１３により上方向に付勢されて取り付けられている（図４参照）。そして、スライダ１２の上部には、斜め上方に傾斜した第１の当接部１２ｂが形成されている。
【００３１】
スライダ１２にはリンク本体１４がネジ止めで固定されており、スライダ１２およびリンク本体１４でリンク（動力伝達部材）が構成されている。このリンク本体１４は、スライダ１２の取り付け位置から横方向に延びて斜め下方に屈曲し、さらに下方に向けて屈曲して上下方向に延びた形状を有している（図５参照）。そして、リンク本体１４の上下方向に延びた位置は、ガイドプレート１５により上下方向に移動可能に保持されている。したがって、スライダ１２が上下方向に移動すると、このスライダ１２に取り付けられたリンク本体１４もまた、ガイドプレート１５に保持された状態で上下方向に移動する。
【００３２】
リンク本体１４の下方には、前述した第２のロック爪１６が揺動可能に取り付けられている（図６参照）。第２のロック爪１６には引っ張りバネ１７が取り付けられており、この引っ張りバネ１７のバネ力により一方端が皿ユニット５に形成されたストッパ（図示せず）に当接して略水平位置となるようになっている。このような第２のロック爪１６では、爪部１６ａがその一方側に位置しており、揺動支点を隔てた他方側には、リンク本体１４が下方向に移動したときに当接して、引っ張りバネ１７のバネ力に抗して第２のロック爪１６を揺動させるリンク当たり部１６ｂが位置している。したがって、リンク本体１４の下方端は、第２のロック爪１６と当接する第２の当接部１４ａを形成する。
【００３３】
図７および図８に示すように、施錠ユニット１８は本体枠３ａの裏面自由端において上下方向に設置されている。施錠ユニット１８は基枠１９を有しており、この基枠１９には、ベース枠３ｂと係合する２つの後方に突出したロック爪２１ａ，２１ｂを備えた第１の可動錠板２１、ガラス扉４と係合する２つの前方に突出したロック爪２２ａ，２２ｂおよび後方に突出した操作片２２ｃを備えた第２の可動錠板２２、および第２の可動錠板２２の下方に位置して皿ユニット５と係合する１つの前方に突出した第１のロック爪２３ａおよび前方に突出した操作片２３ｂを備えた第３の可動錠板２３が、それぞれ上下方向に移動可能に取り付けられている。
【００３４】
これらの可動錠板２１，２２，２３は、何れも引っ張りバネ（図示せず）により相手側にロックした状態となる位置（第１の位置）に保持されている。そして、第１の可動錠板２１は、シリンダ錠２４に鍵を差し込んでこれを一方向に回すことにより、バネ力に抗して上方向に移動してベース枠３ｂから開放可能な位置（第２の位置）になる。また、第２の可動錠板２２は、シリンダ錠２４に鍵を差し込んでこれを前述とは反対方向に回すか、あるいは操作片２２ｃを押し下げることにより、バネ力に抗して下方向に移動してガラス扉４が開放可能な位置（第２の位置）になる。そして、第３の可動錠板２３は、操作片２２ｂを押し下げることにより、バネ力に抗して下方向に移動して皿ユニット５が開放可能な位置（第２の位置）になる。
【００３５】
このような施錠ユニット１８は、第１のロック爪２３ａが前述した皿ユニット５の第１の係合部１１ａ（図３）と係合し、皿ユニット５に設けられた第２のロック爪１６が、本体枠３ａにおける第２のロック爪１６に対応した位置に形成された第２の係合部２５（図８）に入り込んで係合する。そして、このような第１のロック爪２３ａと第１の係合部１１ａとで第１のロック装置が構成され、第２のロック爪１６と第２の係合部２５とで第２のロック装置が構成される。したがって、第１のロック装置は皿ユニット５の裏面側左側端に設けられ、第２のロック装置は、この第１のロック装置とは異なる位置である皿ユニット５の裏面側左下端に設けられている。
【００３６】
次に、以上の構成を有するパチンコ遊技機１における第１のロック装置と第２のロック装置の動作について説明する。
【００３７】
図９において、第１のロック爪２３ａが第１の係合部１１ａと係合した状態では、第２のロック爪１６も第２の係合部２５に係合した状態になっている。つまり、第１のロック装置と第２のロック装置は、皿ユニット５を本体部３に対してロック状態で保持する第１の位置になっている。
【００３８】
この状態から、操作片２３ｂを押し下げると、第１のロック爪２３ａは下方に移動して第１の係合部１１ａとの係合状態が解かれ、その直後にスライダ１２の第１の当接部１２ｂに当接する。つまり、第１のロック装置は、前述した第１の位置から、皿ユニット５を本体部３に対して開放可能な第２の位置になる。
【００３９】
操作片２３ｂをさらに押し下げていくと、第１のロック爪２３ａによりスライダ１２がリンク本体１４とともに下方へ移動する。そして、リンク本体１４の第２の当接部１４ａが第２のロック爪１６の一端を押し下げることにより、第２のロック爪１６が揺動する。これにより爪部１６ａが持ち上がり、第２のロック爪１６も第２の係合部２５との係合状態が解かれる。このように、第１のロック装置の動力を第２のロック装置に伝達して第２のロック装置を第１のロック装置に連動して動作させる動力伝達部材であるリンクにより、第２のロック装置もまた、第１の位置から皿ユニット５を本体部３に対して開放可能な第２の位置になる（図１０）。
【００４０】
なお、皿ユニット５を開いた後に操作片２３ｂの操作をやめると、引っ張りバネ１３のバネ力によりスライダ１２およびリンク本体１４が上昇して元の位置に戻り、また引っ張りバネ１７のバネ力により第２のロック爪１６が水平位置に復帰し、図９に示すロック状態と同位置になる。
【００４１】
また、開いた状態にある皿ユニット５を閉めると、先ず、皿ユニット５に設けられた第１の係合部１１ａが本体枠３ａに設けられた第１のロック爪２３ａの突出した傾斜部に当接する。図８に示すように、傾斜部は上方に向けて傾斜していることから、皿ユニット５を閉めるにしたがって当接位置が徐々に移動して行き、これにより第１のロック爪２３ａは第１の係合部１１ａにより押し下げられる。すると、第１のロック爪２３ａはスライダ１２の第１の当接部１２ｂに当接してこれを押し下げ、これに伴ってリンク本体１４が下方へと移動する。そして、下降したリンク本体１４の第２の当接部１４ａが第２のロック爪１６の一端を押し下げることにより、第２のロック爪１６が揺動する。これにより爪部１６ａが持ち上がって第２の係合部２５内に入り込む（図１０参照）。
【００４２】
その後、第１の係合部１１ａが第１のロック爪２３ａの係合位置に達すると、第１の係合部１１ａが図示しない引っ張りバネのバネ力により上昇して第１のロック爪２３ａに係合され、さらに引っ張りバネ１３のバネ力によりスライダ１２およびリンク本体１４が上昇して元の位置に戻る。そして、スライダ１２およびリンク本体１４が上昇して元の位置に戻るのと同時に引っ張りバネ１７のバネ力により第２のロック爪１６が水平位置に復帰し、これにより第２のロック爪１６が第２の係合部２５に係合される（図９参照）。
【００４３】
このように、本パチンコ遊技機１によれば、開閉部材である皿ユニット５が相互に設置位置の異なる第１のロック装置と第２のロック装置により複数箇所でロックされるので、変則的な荷重に対して強固となり、各部位の破損を防止することができる。
【００４４】
また、第１のロック装置と第２のロック装置とが動力伝達部材であるリンクにより連動して動作するようになっているので、一回の操作で皿ユニット５のロックを解除して開けることが可能になり、ロック解除操作性が良好になる。
【００４５】
さらに、第１のロック装置と第２のロック装置とは離れた位置でも設置することができるので、設計変更も容易である。
【００４６】
さらに、第１のロック装置を構成する第１のロック爪２３ａおよび第１の係合部１１ａを皿ユニット５に設け、第２のロック装置を構成する第２のロック爪１６および第２の係合部２５を本体枠３ａに設けているので、第１のロック装置と第２のロック装置とを動力伝達部材であるリンクで連動させてロック解除する構成を簡便な形で実現することができる。
【００４７】
そして、第１のロック爪２３ａに当接する第１の当接部１２ｂ、および第２のロック爪１６に当接する第２の当接部１４ａをリンクが有しているので、リンクをロック爪２３ａ，１６と独立させることができ、第１のロック装置と第２のロック装置との位置関係に合わせてリンクの形状を変更するだけで、同一のロック装置を用いて他機種の遊技機に対応させることが可能になる。
【００４８】
以上の説明では、第１の係合部１１ａおよび第２のロック爪１６が皿ユニット５に設けられ、第１のロック爪２３ａおよび第２の係合部２５が本体枠３ａに設けられているが、第１の係合部１１ａと第２のロック爪１６を皿ユニット５または本体枠３ａの何れに設けてもよく、第１のロック爪２３ａおよび第２の係合部２５も皿ユニット５または本体枠３ａの何れに設けてもよい。
【００４９】
また、以上の説明においては、動力伝達部材であるリンクは第２の当接部１４ａを有し、このリンクと別体に構成された第２のロック爪１６を第２の当接部１４ａが動かすようになっているが、第２のロック爪１６をリンクに一体に設けてもよい。
【００５０】
このような構造の皿ユニット５の裏面を図１１および図１２に示す。
【００５１】
これらの図面において、リンクを構成するリンク本体１４は、引っ張りバネ１３に加えて引っ張りバネ１７でも上方向に付勢されている。そして、当該リンク本体１４の下方には、これらのバネ力により第２の係合部２５と係合し、バネ力に抗してリンク本体１４が下方向に移動した場合に係合が解除される第２のロック爪１６が突出して一体に設けられている。
【００５２】
なお、リンク本体１４の下部分には、上下方向に伸びた長孔２６が２カ所に形成されており、長孔２６にはこの長孔２６の横方向の自由な動きを規制するとともに上下方向の動きを許容するピン２７がはめ込まれている。
【００５３】
このような構造では、図１３において、第１のロック爪２３ａが第１の係合部１１ａと係合した状態では、第２のロック爪１６も第２の係合部２５に係合した状態になり、皿ユニット５が本体部３に対してロックされる位置、つまり第１の位置になる。
【００５４】
この状態から、操作片２３ｂを押し下げると、図１４に示すように、第１のロック爪２３ａは下方に移動して第１の係合部１１ａとの係合状態が解かれるとともに、第２のロック爪１６もまた下方に移動して第２の係合部２５との形状状態が解かれ、皿ユニット５を本体部３に対して開放可能な第２の位置になる。
【００５５】
また、開いた状態にある皿ユニット５を閉めると、皿ユニット５に設けられた第１の係合部１１ａが第１のロック爪２３ａの突出した傾斜部に当接することにより第１のロック爪２３ａが第１の係合部１１ａにより押し下げられ、これによるリンク本体１４の下方への移動で第２の当接部１４ａが下方に移動して第２の係合部２５との係合位置になる（図１４）。そして、第１の係合部１１ａが第１のロック爪２３ａの係合位置に達すると、第１の係合部１１ａがバネ力により上昇して第１のロック爪２３ａに係合されるとともに、第２のロック爪１６が第２の係合部２５に係合される（図１３）。
【００５６】
このような構造では、第１のロック爪１１ａと第２のロック爪１６とが相互に同期して動作しやすくなるので、ロックおよびその解除をスムーズに行うことが可能になる。
【００５７】
そして、以上の説明においては、開閉部材として皿ユニット５が適用されているが、本発明は、ガラス扉４など、他の種々の開閉部材にも適用することができる。
【産業上の利用可能性】
【００５８】
以上の説明においては、本発明を遊技機の一つであるパチンコ遊技機１に適用した場合が説明されているが、本発明はこれに限定されるものではなく、パチスロ機、あるいはゲームセンターに設置された各種ゲーム機など、種々の遊技機に適用することが可能である。
【図面の簡単な説明】
【００５９】
【図１】本発明の一実施の形態であるパチンコ遊技機を示す斜視図である。
【図２】図１のパチンコ遊技機に装着された皿ユニットを裏面から示す斜視図である。
【図３】図２の皿ユニットの要部を示す正面図である。
【図４】図２の皿ユニットに取り付けられたリンクを構成するスライダを示す斜視図である。
【図５】図２の皿ユニットに取り付けられたリンクを構成するリンク本体を示す正面図である。
【図６】図２の皿ユニットに取り付けられた第２のロック爪を背後から示す斜視図である。
【図７】図１のパチンコ遊技機に設置された第１のロック爪を含む施錠ユニットを示す斜視図である。
【図８】図１のパチンコ遊技機における第１のロック爪と第２の係合部とを示す斜視図である。
【図９】図１のパチンコ遊技機において第１のロック装置と第２のロック装置とが皿ユニットを本体部にロック状態で保持する第１の位置を示す説明図である。
【図１０】図１のパチンコ遊技機において第１のロック装置と第２のロック装置とが皿ユニットを本体部に対して開放可能になる第２の位置を示す説明図である。
【図１１】本発明の変形例としてのパチンコ遊技機に装着された皿ユニットを裏面から示す斜視図である。
【図１２】図１１の皿ユニットの要部を示す正面図である。
【図１３】本発明の変形例としてのパチンコ遊技機において第１のロック装置と第２のロック装置とが皿ユニットを本体部にロック状態で保持する第１の位置を示す説明図である。
【図１４】本発明の変形例としてのパチンコ遊技機において第１のロック装置と第２のロック装置とが皿ユニットを本体部に対して開放可能になる第２の位置を示す説明図である。
【符号の説明】
【００６０】
１  パチンコ遊技機（遊技機）
３  本体部
３ａ  本体枠
３ｂ  ベース枠
５  皿ユニット（開閉部材）
１１ａ  第１の係合部
１２  スライダ
１２ｂ  第１の当接部
１４  リンク本体
１４ａ  第２の当接部
１６  第２のロック爪
２３ａ  第１のロック爪
２５  第２の係合部
２６  長孔
２７  ピン
【図１】
2005205158.tif 000003
【図２】
2005205158.tif 000004
【図３】
2005205158.tif 000005
【図４】
2005205158.tif 000006
【図５】
2005205158.tif 000007
【図６】
2005205158.tif 000008
【図７】
2005205158.tif 000009
【図８】
2005205158.tif 000010
【図９】
2005205158.tif 000011
【図１０】
2005205158.tif 000012
【図１１】
2005205158.tif 000013
【図１２】
2005205158.tif 000014
【図１３】
2005205158.tif 000015
【図１４】
2005205158.tif 000016